(57)【要約】【課題】ＨＤＤを利用した装置においてＨＤＤの診断を行なうがこの診断のために、本来の記録・再生動作に対する不都合が生じないようにした。【解決手段】映像信号を受信する受信部と、信号処理部と、映像信号を表示する映像表示部と、信号処理部からの出力信号を記録する記録再生装置と、記録再生装置の複数の要素の点検処理を行う点検部と、記録再生装置の情報記録・再生のスタート又はスタート準備を行なう録再管理部と、点検部の点検処理の開始前に、録再管理部による情報記録・再生のスタート又はスタートの準備が行われているときは、前記点検部の点検処理の開始を待機状態とする点検待機制御部と、前記情報記録・再生のスタート又はスタートの準備が無いときは、前記点検部の点検処理を開始させる点検開始制御部を有する。【選択図】      図２
2007012192.tif 000002
【特許請求の範囲】
【請求項１】
映像信号を受信する受信部と、
前記受信部で受信した映像信号に所定の信号処理を施す信号処理部と、
前記信号処理部で所定の信号処理が施された映像信号を表示する映像表示部と、
前記信号処理部からの出力信号を記録する記録再生装置と、
前記記録再生装置に対し故障要因となる複数の要素の点検処理を行う点検部と、
前記記録再生装置の情報記録・再生のスタート又はスタート準備を行なう録再管理部と、
前記点検部の点検処理の開始前に、前記録再管理部による情報記録・再生のスタート又はスタートの準備が行われているときは、前記点検部の点検処理を待機状態とする点検待機制御部と、
前記点検部の点検処理の開始前に、前記録再管理部による情報記録・再生のスタート又はスタートの準備が無いときは、前記点検部の点検処理を開始させる点検開始制御部と、
前記点検部の点検処理結果を前記映像表示部に表示させる点検結果報告部と
を有する映像表示処理装置。
【請求項２】
前記点検部は、次回の点検開始日時を設定する管理部を含むことを特徴とする請求項１記載の映像表示処理装置。
【請求項３】
前記点検部は、前記点検処理の結果を示す情報と、点検を実行した点検日時情報を保存する管理部を含むことを特徴とする請求項１記載の映像表示処理装置。
【請求項４】
前記点検結果報告部は、その電源がオンされたときに、前記点検部に保存されている点検処理の結果を、前記映像表示部に表示させることを特徴とする請求項１記載の映像表示処理装置。
【請求項５】
前記点検開始制御部が、前記点検部の点検処理を開始させた後であっても、前記録再管理部による情報記録・再生のスタート又はスタートの準備が開始されたときは、点検待機制御部が、前記点検部の点検処理を待機状態とすることを特徴とする請求項１記載の映像表示処理装置。
【請求項６】
前記点検結果報告部は、前記点検部の点検が終了したとき点検処理の結果を、前記映像表示部に表示させる場合、異常状態の程度を識別して表示させる
ことを特徴とする請求項１記載の映像表示処理装置。
【請求項７】
前記点検結果報告部は、その電源がオンされたとき、前記点検部に保存されている点検処理の結果を、前記映像表示部に表示させる場合、異常状態の程度を識別して表示させる
ことを特徴とする請求項１記載の映像表示処理装置。
【請求項８】
映像信号を受信する受信部と、前記受信部で受信した映像信号に所定の信号処理を施す信号処理部と、前記信号処理部で所定の信号処理が施された映像信号を表示する映像表示部と、前記信号処理部からの出力信号を記録する記録再生装置と、前記記録再生装置に対し故障要因となる複数の要素の点検処理を行う点検部と、前記記録再生装置の情報記録・再生のスタート又はスタート準備を行なう録再管理部と、動作を統括する制御部とを有し、
前記制御部の指令の元で前記記録再生装置を点検する点検方法において、
前記点検部の点検処理の開始前に、前記録再管理部による情報記録・再生のスタート又はスタートの準備が行われているときは、前記点検部の点検処理を待機状態とし、
前記点検部の点検処理の開始前に、前記録再管理部による情報記録・再生のスタート又はスタートの準備が無いときは、前記点検部の点検処理を開始させ、
前記点検部の点検処理結果を前記映像表示部に表示させる
ことを特徴とする記録再生装置の点検方法。
【請求項９】
前記点検処理が終了した後、次回の点検開始日時を設定することを特徴とする請求項８記載の記録再生装置の点検方法。
【請求項１０】
前記点検処理が終了した後、前記点検処理の結果を示す情報と、点検を実行した点検日時情報を保存することを特徴とする請求項８記載の記録再生装置の点検方法。
【請求項１１】
電源がオンされたときに、前記点検部に保存されている点検処理の結果を、前記映像表示部に表示させることを特徴とする請求項８記載の記録再生装置の点検方法。
【請求項１２】
前記点検部の点検処理が開始した後であっても、前記録再管理部による情報記録・再生のスタート又はスタートの準備が開始されたときは、前記点検部の点検処理を待機状態とすることを特徴とする請求項８記載の記録再生装置の点検方法。
【請求項１３】
前記点検部の点検が終了したとき点検処理の結果を、前記映像表示部に表示させる場合、異常状態の程度を識別して表示させる
ことを特徴とする請求項８記載の記録再生装置の点検方法。
【請求項１４】
電源がオンされたとき、前記点検部に保存されている点検処理の結果を、前記映像表示部に表示させる場合、異常状態の程度を識別して表示させる
ことを特徴とする請求項８記載の記録再生装置の点検方法。
【発明の詳細な説明】
【技術分野】
【０００１】
この発明は、映像表示処理装置及び記録再生装置の点検装置及び方法に関するもので、特に記録再生装置の状態を診断し、故障が生じる前に予告或いは警告を通知できるようにした装置及び方法である。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
テレビジョン放送を受信するテレビジョン放送受信装置においては、例えば、ユーザーが設定したジャンルやキーワード等に基づいて放送番組を自動記録しておき、その記録された番組の中からユーザーが必要な番組を選択して視聴することができる機能を有するものが出現している。
【０００４】
この場合、放送番組を記録再生するための記録再生装置としては、多数の番組を記録することができる大記録容量が求められるとともに、記録した番組の中から所望の番組を迅速に検索して再生することができるアクセス性能が求められることから、ＨＤＤ（hard disk drive）が採用されている。
【０００５】
ところで、ハードディスクは、非常に精密な部品であり、熱、衝撃、振動に影響を受けることがある。使用環境、使用年数、使用頻度によっては、ハードディスク自身に対する情報の記録・再生が不能になる場合がある。このような場合は、ハードディスクドライブを交換する必要がある。
【０００６】
ハードディスク装置の故障に関する技術としては、以下のような技術がある。即ちハードディスク装置の交換前、サービス、点検時に、障害予測や勧告を行うことができる技術がある（例えば特許文献１参照）。また故障予知診断機能を持つ磁気ディスク装置も開発されている（例えば特許文献２参照）。この装置では、ビットエラーレート、起動リトライ、シーク性能、などいくつかのパラメータが定期的にチェックされ、故障の発生が予想されると判断されたとき、ホストシステムに警告を出す。また、ヘッドとディスク表面の摩擦力を測定して、ディスクの異常を検出する技術もある（例えば特許文献３）。
【特許文献１】特開２００４−３４２１６８公報
【特許文献２】特開２００１−３０７４３５公報
【特許文献３】特開平０７−０８５５７５号公報
【発明の開示】
【発明が解決しようとする課題】
【０００７】
従来では、ハードディスク装置の故障予測、点検などについては、種々の技術が開発されている。しかしながら、ハードディスク装置の本来の機能、記録・再生処理と事前チェック処理の相互の時間的な関係については、十分な対策がなされていない。
【０００８】
そこで、この発明は大記録容量を有する記録再生装置（ハードディスク装置）を利用した装置において、記録再生装置の診断を行なうとともに、この診断のために、本来の記録・再生動作に対する不都合が生じないようにした、映像表示処理装置及び記録再生装置の点検装置及び方法を提供することを目的とする。
【課題を解決するための手段】
【０００９】
この発明に係る映像信号処理装置は、映像信号を受信する受信部と、前記受信部で受信した映像信号に所定の信号処理を施す信号処理部と、前記信号処理部で所定の信号処理が施された映像信号を表示する映像表示部と、前記信号処理部からの出力信号を記録する記録再生装置と、前記記録再生装置に対し故障要因となる複数の要素の点検処理を行う点検部と、前記記録再生装置の情報記録・再生のスタート又はスタート準備を行なう録再管理部と、前記点検部の点検処理の開始前に、前記録再管理部による情報記録・再生のスタート又はスタートの準備が行われているときは、前記点検部の点検処理の開始を待機状態とする点検待機制御部と、前記点検部の点検処理の開始前に、前記録再管理部による情報記録・再生のスタート又はスタートの準備が無いときは、前記点検部の点検処理を開始させる点検開始制御部と、前記点検部の点検処理結果を前記映像表示部に表示させる点検結果報告部とを有する。
【発明の効果】
【００１０】
上記した構成によれば、記録再生装置は、情報記録・再生の準備状態か、又は情報記録・再生の開始状態かが、点検待機制御部、点検開始制御部により監視される。そして適切なタイミングで記録再生装置の点検が実行される。よって、点検処理が不都合となることがない。
【発明を実施するための最良の形態】
【００１１】
以下、この発明の実施の形態について図面を参照して詳細に説明する。図１は、この発明の実施の形態で説明するテレビジョン放送受信装置１１の正面側の外観を示している。
【００１２】
図１において、このテレビジョン放送受信装置１１は、主として、装置本体となるほぼ四角形状に形成された薄型のキャビネット１２と、このキャビネット１２を起立させて支持するスタンド１３とから構成されている。
【００１３】
上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１４】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１５】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１６】
図２は、上記テレビジョン放送受信装置１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１７】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００１８】
またチューナ部２４の出力は、直接セレクタ２６に供給されている。この信号から映像・音声情報などが分離され、この映像・音声情報が制御部３５を介してＨＤＤユニット２０にて記録されることも可能である。
【００１９】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００２０】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００２１】
Ａ／Ｄ変換された信号が、ＨＤＤユニット２０にて記録される場合は、セレクタ２６に付随しているエンコーダにより、所定のフォーマット例えばＭＰＥＧ（moving picture experts group）２方式による圧縮処理が施された後、ＨＤＤユニット２０にて記録される。
【００２２】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２３】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を受光部１８を介して受けることにより、その操作内容が反映されるように各部をそれぞれ制御している。
【００２４】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２５】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部３５とＨＤＤユニット２０とを接続している。
【００２６】
また、制御部３５とＨＤＤユニット２０との間でデジタル映像及び音声信号を授受するライン３９は、i．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にi．Linkによって行なわれる。
【００２７】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２８】
図３は、この発明の特徴の基本的要素を取り出して示している。制御部３５は、以下に述べるブロックを含む。即ち、制御部３５は点検部３５ａを含む。この点検部３５ａは、ＨＤＤユニット（以下記録再生装置と記す）２０の故障要因となる複数の要素の点検処理を行う。この点検内容については、後述する。また録再管理部３５ｅを含み、この録再管理部３５ｅは、記録再生装置２０の情報記録・再生のスタート準備又はスタートを行なう。さらに制御部３５は、点検待機制御部３５ｃを含む、この点検待機制御部３５ｃは、点検部３５ａの点検処理の開始前に、録再管理部３５ｅによる情報記録あるいは再生のスタート又はスタートの準備が行われているときは、点検部３５ａの点検処理の開始を待機状態とするものである。
【００２９】
録再管理部３５ｅによる情報記録スタートとは、記録が現実に開始されている状態である。また情報記録スタートの準備とは、予約録画のために、電源がオンされた状態を含む。また予約録画のために録画時間が近づいている、例えば５分前も含む。さらには、録画のために操作信号に応じて電源がオンされた状態も含む。なお、この明細書では、電源オンは、メイン電源がオンされて録再装置が全動作可能な状態を意味し、たとえばリモートコントロール操作に初期応答できる程度の予備電源状態とは異なる。
【００３０】
録再管理部３５ｅによる再生のスタートとは、再生が現実に開始されている状態である。また再生スタートの準備とは、再生のために、電源がオンされた状態を含む。
【００３１】
制御部３５には、点検開始制御部３５ｄが含まれる。この点検開始制御部３５は、点検部の点検処理の開始前に、録再管理部３５ｅによる情報記録・再生のスタート又はスタートの準備が無いときは、点検部３５ｅの点検処理を開始させる。
【００３２】
さらに上記した点検部３５ａには、状況チェック部３５ａ１，フラッグ管理部３５ａ２，チェック日時管理部３５ａ３が含まれるもので、このブロックの動作及び機能については、後述する。
【００３３】
また上記の点検結果報告部３５ｂには、ＯＳＤ（on screen display)処理部３５ｂ１が含まれる。
【００３４】
図４には、この発明の装置の一実施の形態における具体的動作例を示すフローチャートである。今、点検部３５ａに点検対称としてＨＤＤ２０が登録されているものとする。例えば点検部３５ａでは、点検日時の設定が行なわれている。点検日時の設定方法としては、各種の方法が可能である。例えば一定時間毎の点検、あるいは最終点検日から所定時間経過後を点検日時とするなどである。
【００３５】
点検部３５ａは、現時点が設定されている点検日時であるかどうかをチェックする（ステップＳＴ１）。このチェックは、例えばチェック日時管理部３５ａ３により管理されている。現時点が、設定した点検日時と同じ又は経過している場合、ＨＤＤ２０のチェック処理の準備が行なわれ（ステップＳＴ２）、まず機器の電源の状態がオンであるかオフであるが判断される（ステップＳＴ３）。
【００３６】
機器の電源がオンであることは、ＨＤＤ２０において情報記録又は再生、または予約録画時間が迫りその準備が開始されていることである。このような場合は、ＨＤＤチェックは行なわれない、チェック待ちとなり待機状態となる（ステップＳＴ７）。この状態では、機器の電源状態がさらに監視される（ステップＳＴ８）。機器の電源がオフ状態になったことが検知されると、ＨＤＤ２０にたいしてして録画予約があるかどうかのチェックが行なわれる（ステップＳＴ４）。ステップＳＴ３において、機器の電源がオフであることが判明した場合もステップＳＴ４に移行する。
【００３７】
ステップＳＴ４において、ＨＤＤ２０に対する録画予約がない場合には、ＨＤＤ２０のチェック状態に移行する（ステップＳＴ６）。しかしステップＳＴ４において、ＨＤＤ２０に対する録画予約が有った場合には、その録画予約時間（ＨＤＤ２０で予約録画を行う時間）と、現在の時間（ＨＤＤ２０のチェックを行なう時間）とが重ならないかどうかをチェックされる（ステップＳＴ５）。
【００３８】
ステップＳＴ５において、時間が重ならない場合には、ステップＳＴ６に移行してＨＤＤ２０のチェックが実行される。時間が重なった場合には、ステップＳＴ７に移行して、チェック待ちとなり待機状態となる。
【００３９】
上記のようにＨＤＤ２０の故障診断チェックは定期的に行う必要があるが、上記したＨＤＤ２０のチェック方法により、前回ＨＤＤ２０をチェックした日時より、次回のＨＤＤ２０のチェック開始日時が録画機器内の不揮発性メモリ等に事前に記憶される（この処理は後述するステップＳＴ１５に該当する）。
【００４０】
上記したように、機器の電源がオンの状態では録画・再生処理を実施している可能性がある。この場合、デジタル放送受信機を内蔵した機器においては、電源オン時にハイビジョン放送の番組をデコード処理している場合があるため、録画機器におけるＣＰＵの負担が大きいこと、或いはパフォーマンス低下が想定される。そこで、ＨＤＤ２０のチェックをこれらの処理と平行して実行するのを防ぐためのステップとなっている。
【００４１】
ここでいう電源オフ／待機とは、最低限機器を制御するマイコンが制御可能状態の電源状態を意味し、電源オンとは、ユーザーによって具体的な機能を操作可能な状態を意味する。
【００４２】
図５は、図４においてＨＤＤ２０のチェック処理の実行が可能と判断された後、ＨＤＤ２０の故障を事前にチェックする方法の概略を示したフローチャートである。
【００４３】
ステップＳＴ１０において、ＨＤＤ２０の状態をチェックする処理が起動される。実際にＨＤＤ２０の状態をチェックして、ＨＤＤ２０の故障を事前にチェックする具体的な手段については、本発明では規定しないが、ここでは一例として、ハードディスクドライブのSMART( Self-Monitoring, Analysis, and Reporting Technology )機能用いた場合を説明する。
【００４４】
SMART機能には、ＨＤＤの故障を予測するためのいくつかのパラメータがあり、このパラメータを読むことによりＨＤＤの故障を予測することが可能である。
【００４５】
例えば、トータル電源オン時間（起動累計時間）、温度、CSS（Contact Start Stop）サイクル数、リトライ回数、異常セクター数、Read／Writeエラー発生率などのパラメータがある。例えば、温度、トータル電源オン時間、CSSサイクル数からは寿命が予測可能である。また、リトライ数、異常セクター数、Read／Writeエラー発生率からは故障率が予測可能である。
【００４６】
ＨＤＤの状態をチェックする起動条件としては、前述したように機器の電源がオフまたは、待機の場合としているため、ステップＳＴ１０にてＨＤＤ２０の状態をチェック中は、常に機器の電源状態を監視する（ステップＴＳ１１）。
【００４７】
ＨＤＤ２０のチェック実行中に機器の電源がオンになった場合は、ステップＳＴ１７に進み、ＨＤＤ２０のチェック処理を終了する。この場合は、ＨＤＤ２０のチェック処理が未終了のため、図１のステップＳＴ７の処理に移行し、ＨＤＤ２０のチェック待ちとなる。
【００４８】
ＨＤＤ２０の状態をチェック中に機器の電源がオフまたは、待機の状態が継続され正常にチェックが終了した場合は、ステップＳＴ１２においてＨＤＤ２０の状態チェック処理を終了し、ステップＳＴ１３に進む。ステップＳＴ１３においては、チェックの結果、ＨＤＤ２０に異常が検出されたか否かの判定を行い、異常が検出された場合は、ステップＳＴ１４ｂ、異常が検出されなかった場合はステップＳＴ１４ａにそれぞれ進む。
【００４９】
ステップＳＴ１４ａでは異常検出フラグを“１”にセットし、かつチェック終了日時を記憶し、ステップＳＴ１４ｂでは異常検出フラグを“０”にセットし、かつチェック終了日時を記憶し、それぞれステップＳＴ１５に進む。ステップＳＴ１５では、現在日時情報と前記チェック終了日時より次回のＨＤＤ２０のチェック日時を設定し、機器に内蔵されている不揮発性メモリ等に記憶する。
【００５０】
設定される次回チェックの周期は予め機器に設定されていること想定しているが、開始時刻については本チェックが機器の電源がオフまたは、待機時に実行されるため、機器がなるべく使用されない時間帯に設定されることが望ましい。また、チェックの周期、及び開始時刻は利便性を考慮し、機器に予め設定されていると述べたが、ユーザーが任意に設定できてもかまわない。
【００５１】
ステップＳＴ１５で次回のＨＤＤ２０のチェック日時設定後は、ステップＳＴ１６に進みＨＤＤ２０のチェック処理は終了する。
【００５２】
上記した異常検出フラグの管理は、図３に示したフラッグ管理部３５ａ２で行なわれる。また次回のチェック日時設定の管理は、チェック日時管理部３５ａ３で行なわれる。
【００５３】
次にＨＤＤ２０のチェック処理が終了した後、その結果をユーザーへ告知処理する方法について説明する。
【００５４】
図６は、図５においてＨＤＤ２０のチェック処理が終了した後の、録画機器におけるＨＤＤ２０の故障を事前にユーザーに告知する方法の概略を示したフローチャートである。
【００５５】
ＨＤＤ２０がチェックされた後は、機器（デジタルテレビジョン放送受信装置または録画装置）の電源はオフ、または待機状態となっている。ここで再び、ステップＳＴ２０で機器の電源がオンとなった時点でユーザーへの告知処理が起動することができる。機器の電源がオンした後は、ステップＳＴ２１に進み、図５のステップＳＴ１４ａ、及びステップＳＴ１４ｂでセットされた異常検出フラグの判定処理を行う。
【００５６】
異常検出フラグが“０”の場合は、ＨＤＤ２０には異常がなかったため、ステップＳＴ２５に進み、一連の処理は終了する。異常検出フラグが“１”の場合は、ステップＳＴ２２に進み、ＨＤＤ２０のチェック結果がＯＳＤ（オンスクリーンディスプレイ）を用いて表示され、これによりユーザーへ結果を告知することができる。
【００５７】
図７（Ａ）には、図６のステップＳＴ２２においてＯＳＤ処理部３５ｂ１の表示信号処理により表示される画面の例を示す。図７（Ａ）は、ＨＤＤ２０に異常が検出された場合の告知メッセージ表示画面の一例である。
【００５８】
従来は、ユーザーが録画・再生などＨＤＤにアクセスした時にＨＤＤが使用不可状態に陥ってしまってから告知表示されていたため、図７（Ｂ）に示すような告知メッセージ内容となり、この時点で修理交換依頼をする依頼することになる。
【００５９】
しかし、本発明においては、定期的に事前にＨＤＤのチェックを行っているため、図７（Ａ）に示すような内容の告知メッセージとなり、事前に交換修理依頼が行える。また、上記説明では、ユーザーにＨＤＤが異常であることを告知する手段としてテレビジョン画面にＯＳＤを用いる方法を説明したが、ＯＳＤの代わりに、本体に設けられたＬＥＤ等の表示装置を用いて告知してもかまわない。さらに、ＯＳＤ表示と本体に設けられたＬＥＤ等の表示装置を併用してもなんら問題ない。
【００６０】
ステップＳＴ２２で表示されたＯＳＤによる告知メッセージは、常時出ているとＴＶ視聴の妨げとなるので、ユーザーによるリモコン操作等で消去可能となっている（図６のステップＳＴ２３）。
【００６１】
つまりステップＳＴ２２による告知メッセージ表示は、表示した時点で役割は果たしており、このまま常時出ているとＴＶ視聴の妨げとなるので、図７（Ａ）にも示すようにユーザーによるリモコン操作等で消去可能となっている（図７（Ａ）の例ではリモコン等の決定ボタンで消去される）。
【００６２】
また、ＯＳＤ消去操作後の電源オン／オフで再度告知のためのＯＳＤが表示されるのを防止するため、ステップＳＴ２４では、ＯＳＤ消去操作後には、異常検出フラグを解除（“０”にセット）する。ステップＳＴ２４の処理終了後は、ステップＳＴ２５に進み、一連の処理は終了する。
【００６３】
図８を参照して、次に、上述した実施の形態の変形例について説明する。
【００６４】
故障を事前にチェックする際にＨＤＤのチェック処理を実行するか否かを判定する方法については、上述した実施例の図４の動作と同じである。しかし、図８では、図５におけるＨＤＤのチェック処理実行方法、及びＨＤＤのチェック処理が終了した結果のユーザーへの告知処理方法の一部を変更している。
【００６５】
図８は、ＨＤＤのチェック処理実行方法の概略を示すフローチャートである。そして、図９は、ＨＤＤのチェック処理が終了した結果のユーザーへの告知処理方法を示すフローチャートである。なお、さきの説明と同じ処理については同一の符号を付している。
【００６６】
図８において図５のフローチャートと異なるのは、ステップＳＴ１３ａにおけるＨＤＤチェック結果判定において、異常が発生した場合の処理を２つに分け、一方をＨＤＤの異常が小さい場合、もう一方をＨＤＤの異常が大きい場合とした点である。つまり異常の程度を識別している。
【００６７】
ＨＤＤチェックの結果、例えば、ＨＤＤ自体が使用不可状態とまではならないが、SMART機能のリトライ回数、異常セクター数等の検査結果より、これらの結果がある閾値を超え、録画・再生を行う際に映像再生に破綻が生じる可能性があると判断した場合は、ＨＤＤ装置に異常検出結果は「異常小」とし、ステップＳＴ１４ｃに進む。ステップＳＴ１４ｃでは異常検出フラグを１にセットし、かつ、チェック終了時刻を記憶し、ステップＳＴ１５に進む。また、ステップＳＴ１３ａのチェック結果判定において、SMART機能におけるトータル電源オン時間、ＣＳＳサイクル数、温度等のデータよりチェック時点のＨＤＤの経時における寿命を予測するとともに、Read／Writeエラー発生率等より、ＨＤＤの劣化度を勘案して、ＨＤＤを交換しないと近々にＨＤＤ装置が使用不可の状態となると判断した場合は、ＨＤＤの異常検出結果は「異常大」とし、ステップＳＴ１４ｄに進む。ステップＳＴ１４ｄでは異常検出フラグを２にセットし、かつ、チェック終了時刻を記憶し、ステップＳＴ１５に進む。
【００６８】
ステップＳＴ１５では、図５の例と同様に現在日時情報と前記チェック終了日時より次回のＨＤＤチェック日時を設定し、機器に内蔵されている不揮発性メモリ等に記憶する。ステップＳＴ１５で次回のＨＤＤチェック日時設定後は、ステップＳＴ１６に進みＨＤＤのチェック処理は終了する。
【００６９】
次にＨＤＤのチェック処理が終了した結果のユーザーへの告知処理方法について説明する。図９は、図８においてＨＤＤ装置のチェック処理が終了した後の、録画機器におけるＨＤＤの故障を事前にユーザーに告知する方法の概略を示したフローチャート図である。図６の例との違いは、ステップＳＴ２１ａにおける異常検出フラグの判定処理において、フラグが“１”と“２”の２種類がある点で、それぞれフラグにより以降の処理が異なる。
【００７０】
ステップＳＴ２１ａの異常検出フラグ判定処理において、異常検出フラグが“１”の場合はステップＳＴ２２ａに進み、異常検出フラグが“２”の場合及びステップＳＴ２２ｂに進む。つまり、異常検出フラグの種類によりユーザーに告知するＯＳＤ表示内容が異なる。異常検出フラグが“１”の場合はＨＤＤ装置チェックの結果、図８で説明したように、異常小と判定されているため、図１０に示すような告知メッセージとなり、ＨＤＤ自体の交換は必要ないが、録画。再生のパフォーマンス改善のための処置を告知している。一方、異常検出フラグが“２”の場合はＨＤＤチェックの結果、図８で説明したように、異常大と判定されているため、図７（Ａ）に示すような告知メッセージとなり、ＨＤＤ装置自体の交換を勧めるような告知メッセージとなっている。
【００７１】
ステップＳＴ２２ａ、ステップＳＴ２２ｂによる告知メッセージ表示は、図６で説明したのと同様に常時出ているとＴＶ視聴の妨げとなるので、ステップＳＴ２３でユーザーによるリモコン操作等で消去可能となっている（図７（Ａ）、図１０に示す画面の例ではリモコン等の決定ボタンで消去される）。
【００７２】
ＯＳＤ消去操作後は、ステップＳＴ２６に進み、異常検出フラグ判定処理を行う。ここで、異常検出フラグが“１”の場合はステップＳＴ２４に進み、異常検出フラグを解除（“０”にセット）し、ステップＳＴ２５に進み一連の動作は終了する。また、異常検出フラグが“２”の場合は、異常検出フラグは解除せず、ステップＳＴ２５に進み一連の動作を終了する。
【００７３】
つまり、異常検出フラグが“１”の場合は、ステップＳＴ２２ａ、及び図１０に示すように、ＨＤＤの異常が軽微であるため、ＯＳＤ消去操作後の再度電源がオンとなる度に表示する必要がないため、再度告知のためのＯＳＤが表示されるのを防止するための処理である。
【００７４】
一方、異常検出フラグが“２”の場合は、近々にＨＤＤが使用不可の状態に陥る可能性があるため、速やかにＨＤＤの交換をユーザーに促すため、異常検出フラグは解除せず、次回以降電源がオンされる都度、ユーザーに告知する処理としている。
【００７５】
また、これらの例では、電源オン処理に合わせＯＳＤ表示による告知を行っている。さらに、これとは別に図８におけるステップＳＴ１４ａ、ＳＴ１４ｃ、ＳＴ１４ｄの検出結果を、ＨＤＤチェック終了日時を記憶するのと合わせて、不揮発性メモリ等に記憶しておき、チェック履歴として何時でもユーザーが確認可能としてもよい。
【００７６】
この機能は、録画機器の各種設定などを行うメニュー機能に、図１１、図１２のような表示機能を設けることで容易に実現可能である。
【００７７】
このように、ＨＤＤチェックの結果、異常が検出された場合、異常内容を細分化して分析判定し、その判定にあった告知表示をＯＳＤにて行うことにより、より適切な処置方法をユーザーに提供可能となる。
【００７８】
従来、ＨＤＤを使用する録画機器においては、ＨＤＤが使用不可の状態になった時点で、初めてＨＤＤの交換が必要であることが分かるが、ＨＤＤ交換自体は通常サービスマン対応であるため交換までには時間を要し、録画したい番組が直ぐにあっても対応できなかった。また、近年、ＨＤＤ自体が大容量化しており、ＨＤＤ内にたくさんの番組が保存されている場合も多く、ＨＤＤが使用不可と分かった時点では、ＨＤＤに保存されていた番組の視聴が不可となっていたが、ＨＤＤが使用不可の状態に陥る前にＨＤＤの状態を定期的、かつ自動的に行うことにより、ＨＤＤの故障を事前に予測し、使用不可の状態になる前に交換が必要な旨をユーザーに告知することが可能となる。
【００７９】
また、最近はＨＤＤ自体がユーザー交換可能となっている機器も出始めており、このような場合も交換時期をユーザーに容易に提供することが可能となる。さらに、ＨＤＤのチェック結果を細分化することにより、ＨＤＤの状態をより適切にユーザーに知らせることも可能となる。
【００８０】
なお、図２では、テレビジョン放送受信装置１１の信号処理系を、キャビネット１２とスタンド１３とに分割して記載したが、信号処理系としては、キャビネット１２とスタンド１３とを特に区別して記載する必要はなく、図１３に示すように、テレビジョン放送受信装置１１がＨＤＤユニット２０を内蔵しているというように等価的に記載することができる。
【００８１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８２】
【図１】図１はこの発明の実施の形態で説明するテレビジョン放送受信装置の正面側の外観を示す図である。
【図２】図２は上記テレビジョン放送受信装置の信号処理系を示す図である。
【図３】図３はこの発明に係る特徴部の基本的要素を取り出して示す図である。
【図４】図４はこの発明の装置の一実施の形態における具体的動作例を示すフローチャートである。
【図５】図５は図４においてＨＤＤのチェック処理の実行が可能と判断された後、ＨＤＤの故障を事前にチェックする方法を示したフローチャートである。
【図６】図６は図５においてＨＤＤのチェック処理が終了した後の、録画機器におけるＨＤＤの故障を事前にユーザーに告知する方法を示したフローチャートである。
【図７】図７（Ａ）は図６のステップＳＴ２２においてＯＳＤ処理部により表示される画面の例を示し、図７（Ｂ）は従来ＨＤＤが使用不可状態に陥ってしまってから告知表示された画面の例を示す図である。
【図８】図８はこの発明の他の実施の形態におけるＨＤＤのチェック処理実行方法の概略を示すフローチャートである。
【図９】図９は図８に示す処理においてＨＤＤのチェック処理が終了した結果のユーザーへの告知処理方法を示すフローチャートである。
【図１０】この発明に係る装置により表示される画面の例を示す図である。
【図１１】この発明に係る装置により表示される他の画面の例を示す図である。
【図１２】この発明に係る装置により表示されるさらに他の画面の例を示す図である。
【図１３】図１３は上記テレビジョン放送受信装置の信号処理系の他の例を示す図である。
【符号の説明】
【００８３】
１１…テレビジョン放送受信装置、１２…キャビネット、１３…スタンド、１４…映像表示器、１５…スピーカ、１６…操作部、１７…リモートコントローラ、１８…受光部、１９…支持部材、２０…ＨＤＤユニット、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部、３６…メモリ部、３７…ライン、３８…接続部、３９…ライン、４０…i．Link接続部。
【図１】
2007012192.tif 000003
【図２】
2007012192.tif 000004
【図３】
2007012192.tif 000005
【図４】
2007012192.tif 000006
【図５】
2007012192.tif 000007
【図６】
2007012192.tif 000008
【図７】
2007012192.tif 000009
【図８】
2007012192.tif 000010
【図９】
2007012192.tif 000011
【図１０】
2007012192.tif 000012
【図１１】
2007012192.tif 000013
【図１２】
2007012192.tif 000014
【図１３】
2007012192.tif 000015